(57)【要約】【課題】無線ＬＡＮ通信以外の電波による通信障害の原因を通知することである。【解決手段】複数のチャンネルを有する無線ＬＡＮ通信を行う通信端末装置１０は、電波の通信手段と、受信のチャンネルを切り替える切り替え手段と、受信信号の電界強度を検出する電界強度検出手段と、受信信号から通信プロトコルを検出する通信プロトコル検出手段と、切り替え手段により通信手段のチャンネルを切り替え、切り替えられた各チャンネルに対応する電界強度と通信プロトコルの検出結果とに応じて、無線ＬＡＮ通信以外の電波による通信障害の原因を解析する解析手段と、解析結果の情報を通知する通知手段と、を備える。【選択図】図１
2014123860.tif 000002
【特許請求の範囲】
【請求項１】
複数の異なる周波数のチャンネルを有する無線ＬＡＮ通信を行う通信端末装置であって、
電波を受信して受信信号を出力する通信手段と、
前記通信手段のチャンネルを切り替える切り替え手段と、
前記受信信号の電界強度を検出する電界強度検出手段と、
前記受信信号を前記無線ＬＡＮ通信の通信プロトコルで復調を行い、当該通信プロトコルの復調の成否に応じて、前記受信信号から通信プロトコルを検出する通信プロトコル検出手段と、
前記切り替え手段により前記通信手段のチャンネルを切り替え、当該切り替えられた各チャンネルに対応する前記検出された電界強度と前記通信プロトコルの検出結果とに応じて、前記無線ＬＡＮ通信以外の電波による通信障害の原因を解析する解析手段と、
前記解析手段の解析結果の情報を通知する通知手段と、
を備える通信端末装置。
【請求項２】
前記解析手段は、前記検出された電界強度が第１の閾値以上のチャンネルが存在し、前記通信プロトコルが検出されない場合に、前記全てのチャンネルの電界強度に差があるか否かを判別し、当該電界強度の差がある場合に、前記通信障害の原因を前記無線ＬＡＮ通信以外の無線局とする請求項１に記載の通信端末装置。
【請求項３】
前記解析手段は、前記検出された電界強度が第１の閾値以上のチャンネルが存在し、前記通信プロトコルが検出されない場合に、前記全てのチャンネルの電界強度に差があるか否かを判別し、当該電界強度の差がない場合に、前記通信障害の原因を電波発生装置とする請求項１又は２に記載の通信端末装置。
【請求項４】
前記解析手段は、前記切り替え手段により前記通信手段のチャンネルを切り替え、当該切り替えられた各チャンネルに対応する前記検出された電界強度と前記通信プロトコルの検出結果とに応じて、他の無線ＬＡＮ局の電波がある場合の無線ＬＡＮ通信の利用可能性を解析する請求項１から３のいずれか一項に記載の通信端末装置。
【請求項５】
前記解析手段は、前記検出された電界強度が第１の閾値以上のチャンネルが存在し、前記通信プロトコルが検出された場合に、前記復調された信号で指定されたチャンネルの間隔が第２の閾値以上であるか否かを判別し、当該指定されたチャンネルの間隔が第２の閾値以上である場合に、前記無線ＬＡＮ通信の利用可能性を、通信障害のおそれがない空きチャンネルがあり無線ＬＡＮ通信が利用可能であることとする請求項４に記載の通信端末装置。
【請求項６】
前記解析手段は、前記指定されたチャンネルの間隔が第２の閾値以上でない場合に、前記第１の閾値未満の電界強度のチャンネルが連続して第２の閾値以上あるか否かを判別し、当該チャンネルが連続して第２の閾値以上ある場合に、前記無線ＬＡＮ通信の利用可能性を、チャンネルの混雑により通信障害のおそれがあるが無線ＬＡＮ通信が利用可能であることとする請求項５に記載の通信端末装置。
【請求項７】
前記解析手段は、前記第１の閾値未満の電界強度のチャンネルが連続して第２の閾値以上ない場合に、前記無線ＬＡＮ通信の利用可能性を、全てのチャンネルが占有されており無線ＬＡＮ通信が不可能であることとする請求項６に記載の通信端末装置。
【請求項８】
複数の異なる周波数のチャンネルを有する無線ＬＡＮ通信を行う通信端末装置のコンピュータを、
電波を受信して受信信号を出力する通信手段、
前記通信手段のチャンネルを切り替える切り替え手段、
前記受信信号の電界強度を検出する電界強度検出手段、
前記受信信号を前記無線ＬＡＮ通信の通信プロトコルで復調を行い、当該通信プロトコルの復調の成否に応じて、前記受信信号から通信プロトコルを検出する通信プロトコル検出手段、
前記切り替え手段により前記通信手段のチャンネルを切り替え、当該切り替えられた各チャンネルに対応する前記検出された電界強度と前記通信プロトコルの検出結果とに応じて、前記無線ＬＡＮ通信以外の電波による通信障害の原因を解析する解析手段、
前記解析手段の解析結果の情報を通知する通知手段、
として機能させるためのプログラム。
【発明の詳細な説明】
【技術分野】
【０００１】
本発明は、無線通信を行う通信端末装置及びプログラムに関する。
【背景技術】
【０００２】
従来、無線ＬＡＮ（Local Area Network）通信機能を有するハンディターミナル等の通信端末装置と、中継局としてのアクセスポイントと、を有する無線ＬＡＮシステムが知られている。この通信端末装置は、アクセスポイントと無線通信を行うことにより、アクセスポイントに接続された通信ネットワーク上の機器に接続することが可能である。
【０００３】
また、無線ＬＡＮの通信方式は、複数のチャンネルを有する。例えば、ＩＥＥＥ（The Institute of Electrical and Electronics Engineers, Inc.）８０２．１１ｇでは、２．４〜２．５ＧＨｚ帯において、チャンネル幅が２２ＭＨｚでチャンネル番号が１〜１３の１３チャンネルが用意されている。無線ＬＡＮ局としてのアクセスポイントを新たに設置する場合に、設置者は、設置するアクセスポイントのチャンネルを、通信範囲内の他の無線ＬＡＮシステムが使用しているチャンネル等の他の電波と干渉しないチャンネルに設定することが好ましい。
【０００４】
また、無線ＬＡＮ通信機能を有する通信端末装置として、チャンネルサーチ機能を有するものが知られている。例えば、図１０に示すような各チャンネルの受信電界強度の電波の状態でチャンネルサーチを行う場合を考える。
【０００５】
図１０は、他の無線ＬＡＮ局が存在する場合の周波数に対する受信電界強度を示す図である。図１０において、横軸に受信周波数に応じたチャンネルがとられ、縦軸に受信電界強度がとられる。チャンネル番号が大きくなるほど受信周波数も高くなる。また、無線ＬＡＮ通信で使用中のチャンネルの受信電界強度のグラフがハッチングで表わされている。これらは、他の受信電界強度の図でも同様であるものとする。
【０００６】
アクセスポイントから送信される無線ＬＡＮ通信の電波には、使用チャンネル番号を示すビーコン信号が含まれる。通信端末装置は、チャンネルサーチにおいて、受信周波数を変化させて受信電波の電界強度を検出するとともに、受信した電波のビーコン信号を解析する。
【０００７】
図１０の受信電界強度分布の場合には、チャンネルサーチにより、ビーコン信号からチャンネル２，１２が使用中であることが得られ、通信端末装置の表示部に使用チャンネル２，１２が表示される。なお、受信電波には通信の帯域幅があるので、使用チャンネルに隣接するチャンネルにも電界強度は発生するが、ユーザには通知しない。
【０００８】
また、複数の回線のそれぞれの通信障害を判断し、各回線の通信障害の有無を表示してユーザに通知する回線障害判断装置が知られている（例えば、特許文献１参照）。
【先行技術文献】
【特許文献】
【０００９】
【特許文献１】特開平５−５６０４２号公報
【発明の概要】
【発明が解決しようとする課題】
【００１０】
しかし、従来の回線障害判断装置では、ユーザが、回線障害の有無を知ることができるものの、回線障害の原因を知ることができなかった。
【００１１】
従来の通信端末装置でも、無線ＬＡＮ通信以外の電波により通信障害が発生する場合に、ユーザは、その通信障害の原因を知ることができなかった。このため、ユーザが、通信障害を回避するための対処をとれないおそれがあった。
【００１２】
本発明の課題は、無線ＬＡＮ通信以外の電波による通信障害の原因を通知することである。
【課題を解決するための手段】
【００１３】
本発明の通信端末装置は、複数の異なる周波数のチャンネルを有する無線ＬＡＮ通信を行う通信端末装置であって、電波を受信して受信信号を出力する通信手段と、前記通信手段のチャンネルを切り替える切り替え手段と、前記受信信号の電界強度を検出する電界強度検出手段と、前記受信信号を前記無線ＬＡＮ通信の通信プロトコルで復調を行い、当該通信プロトコルの復調の成否に応じて、前記受信信号から通信プロトコルを検出する通信プロトコル検出手段と、前記切り替え手段により前記通信手段のチャンネルを切り替え、当該切り替えられた各チャンネルに対応する前記検出された電界強度と前記通信プロトコルの検出結果とに応じて、前記無線ＬＡＮ通信以外の電波による通信障害の原因を解析する解析手段と、前記解析手段の解析結果の情報を通知する通知手段と、を備える。
【発明の効果】
【００１４】
本発明によれば、無線ＬＡＮ通信以外の電波による通信障害の原因を通知できる。
【図面の簡単な説明】
【００１５】
【図１】本発明の実施の形態の通信端末装置の外観図である。
【図２】通信端末装置の機能構成を示すブロック図である。
【図３】無線ＬＡＮ通信部の構成を示す図である。
【図４】無線情報表示処理を示すフローチャートである。
【図５】チャンネルが他の無線ＬＡＮ局で占有されている場合の周波数に対する受信電界強度を示す図である。
【図６】他に無線局が存在する場合の周波数に対する受信電界強度を示す図である。
【図７】使用中の電子レンジが存在する場合の周波数に対する受信電界強度を示す図である。
【図８】（ａ）は、他に無線ＬＡＮ局が存在し空きチャンネルがある場合の表示画面を表示する通信端末装置を示す図である。（ｂ）は、他に無線ＬＡＮ局が存在し通信障害のおそれがある場合の表示画面を表示する通信端末装置を示す図である。（ｃ）は、他に無線ＬＡＮ局が存在し全チャンネルが占有されている場合の表示画面を表示する通信端末装置を示す図である。
【図９】（ａ）は、他に無線局が存在する場合の表示画面を表示する通信端末装置を示す図である。（ｂ）は、他に使用中の電子レンジが存在する場合の表示画面を表示する通信端末装置を示す図である。
【図１０】他の無線ＬＡＮ局が存在する場合の周波数に対する受信電界強度を示す図である。
【発明を実施するための形態】
【００１６】
以下、添付図面を参照して本発明に係る実施の形態を詳細に説明する。なお、本発明は、図示例に限定されるものではない。
【００１７】
先ず、図１〜図３を参照して、本実施の形態の装置構成を説明する。図１は、本実施の形態の通信端末装置１０の外観図である。図２は、通信端末装置１０の機能構成を示すブロック図である。図３は、無線ＬＡＮ通信部１６の構成を示す図である。
【００１８】
通信端末装置１０は、無線ＬＡＮ通信機能を有し、店舗、倉庫等の商品を管理するためのハンディターミナルであるものとする。しかし、通信端末装置１０は、ハンディターミナルに限定されるものではなく、無線ＬＡＮ通信機能を有するものであれば、スマートフォン、タブレットＰＣ（Personal Computer）、ノートＰＣ、ＰＤＡ（Personal Digital Assistant）、携帯電話機、通信専用端末等の通信端末装置でもよい。
【００１９】
通信端末装置１０は、店舗、倉庫等に設置されたアクセスポイントを介して、アクセスポイントに接続された通信ネットワーク上のサーバ装置等の機器と通信が可能である。
【００２０】
図１に示すように、通信端末装置１０は、筐体部２と、操作キー群１２Ａと、通知手段としての表示部１４と、を有する。筐体部２は、通信端末装置１０の筐体であり、内部に各種基板等の部品を格納する。操作キー群１２Ａは、バーコード及び２次元コードのシンボルの読み取りのトリガキー、文字入力キー、各種機能キー等を含み、ユーザの操作入力を受け付ける操作キー群である。表示部１４は、ＬＣＤ（Liquid Crystal Display）、ＥＬ（ElectroLuminescent）ディスプレイ等の表示パネルを有し、表示パネルに各種表示情報を表示する。
【００２１】
次いで、図２を参照して、通信端末装置１０の内部の機能構成を説明する。図２に示すように、通信端末装置１０は、解析手段としてのＣＰＵ（Central Processing Unit）１１と、操作部１２と、ＲＡＭ（Random Access Memory）１３と、表示部１４と、ＲＯＭ（Read Only Memory）１５と、無線ＬＡＮ通信部１６と、記憶部１７と、スキャナ部１８と、電源部１９と、を備える。通信端末装置１０の電源部１９を除く各部は、バス１９Ａを介して互いに接続されている。
【００２２】
ＣＰＵ１１は、通信端末装置１０の各部を制御する。ＣＰＵ１１は、各種プログラムのうち指定されたプログラムをＲＯＭ１５から読み出してＲＡＭ１３に展開し、展開されたプログラムとの協働で各種処理を実行する。
【００２３】
ＣＰＵ１１は、無線情報表示プログラム１５１に従い、無線ＬＡＮ通信部１６のチャンネルを切り替え、切り替えられた各チャンネルに対応する電界強度と通信プロトコルの検出結果とに応じて、無線ＬＡＮ通信以外の電波による通信障害の原因等を解析し、解析結果の情報を表示部１４に表示する。
【００２４】
操作部１２は、操作キー群１２Ａを備え、ユーザからの操作キー群１２Ａの各キーへの押下入力を受け付け、その押下入力に応じた操作情報をＣＰＵ１１に出力する。また、操作部１２は、表示部１４の画面上に設けられるタッチパネルを含み、ユーザからのタッチ入力を受け付ける構成としてもよい。
【００２５】
ＲＡＭ１３は、揮発性の半導体メモリであり、各種データ及び各種プログラムを格納するワークエリアを有する。
【００２６】
表示部１４は、ＣＰＵ１１から入力される表示情報に応じて表示パネルに各種表示を行う。
【００２７】
ＲＯＭ１５は、各種データ及び各種プログラムを記憶する読み出し専用の半導体メモリである。ＲＯＭ１５には、無線情報表示プログラム１５１が記憶されている。
【００２８】
無線ＬＡＮ通信部１６は、無線ＬＡＮ通信を行う無線通信部である。無線ＬＡＮ通信部１６は、アクセスポイントと無線通信を行う。また、無線ＬＡＮ通信部１６は、受信電波の電界強度の検出機能と、電波の変復調機能と、を有する。無線ＬＡＮ通信部１６の通信方式は、ＩＥＥＥ８０２．１１ｇであるものとする。
【００２９】
記憶部１７は、情報を読み出し及び書き込み可能に記憶するフラッシュメモリ、ＥＥＰＲＯＭ（Electrically Erasable Programmable ROM）、又は電池でバックアップされたＲＡＭ等の不揮発性のメモリである。
【００３０】
スキャナ部１８は、シンボルとしてのバーコードを読み取るレーザスキャナや、シンボルとしてのバーコード及び２次元コードを読み取るイメージャ等のスキャナ部であり、読み取ったデータをＣＰＵ１１に出力する。
【００３１】
電源部１９は、通信端末装置１０内の各部に電源供給する二次電池又は一次電池の等の電源部である。
【００３２】
また、通信端末装置１０には、ＲＦＩＤ（Radio Frequency IDentification）タグのリーダ／ライタ部、印刷部、無線ＬＡＮ通信以外の無線通信（例えば、携帯電話通信）を行う無線通信部、ＵＳＢ（Universal Serial Bus）等の有線通信部等を有する構成としてもよい。
【００３３】
次いで、図３を参照して、無線ＬＡＮ通信部１６の内部構成を説明する。図３に示すように、無線ＬＡＮ通信部１６は、アンテナ１６１，１６２と、アンテナスイッチ１６３と、送受信部１６４と、切り替え手段、電界強度検出手段としてのベースバンド演算部１６６と、通信プロトコル検出手段としてのＭＡＣ（Medium Access Controller）部１６７と、を有する。アンテナ１６１，１６２、アンテナスイッチ１６３、送受信部１６４は、通信手段として機能する。
【００３４】
電波を送受信するアンテナ１６１，１６２は、ダイバーシティ用の２本のアンテナである。アンテナスイッチ１６３は、送受信部１６４の送受信系統と、アンテナ１６１，１６２の送受信電波が強い方へのアンテナ系統と、の切り替えを行う。
【００３５】
送受信部１６４は、受信系統としての、アンプ１６４１、ＢＰＦ（Band Pass Filter）１６４２、ミキサ１６４３、アンプ１６４４、ミキサ１６４５、Ａ−Ｄ変換部１６４６と、送信系統としての、Ｄ−Ａ変換部１６４７、ミキサ１６４８、アンプ１６４９、ミキサ１６５０、ＢＰＦ１６５１、アンプ１６５２、アンプ１６５２と、局部発振器１６５３、ＰＬＬ（Phase Lock Loop）シンセサイザ１６５４と、を有する。
【００３６】
局部発振器１６５３は、所定周波数の電気信号を発生する。ＰＬＬシンセサイザ１６５４は、ベースバンド演算部１６６のチャンネル切り替え制御に応じて、局部発振器１６５３から出力された電気信号の周波数を送信又は受信するチャンネルに応じた周波数に変更して出力する。
【００３７】
受信系統において、アンテナ１６１又は１６２で電波が受信されて出力された電気信号は、アンテナスイッチ１６３を介して、アンプ１６４１により増幅され、ＢＰＦ１６４２により所定帯域のみ透過され、ＰＬＬシンセサイザ１６５４の出力信号に応じてミキサ１６４３により周波数が微調整される。ミキサ１６４３から出力された信号は、アンプ１６４４により増幅され、ＰＬＬシンセサイザ１６５４の出力信号に応じてミキサ１６４５により周波数が大きく調整され、Ａ−Ｄ変換部１６４６によりデジタル信号に変換される。このようにして、アンテナスイッチ１６３から出力された電気信号は、送受信部１６４により、設定チャンネルに応じて周波数のダウンコンバートがなされる。
【００３８】
ベースバンド演算部１６６は、Ａ−Ｄ変換部１６４６から出力されたデジタル信号の信号処理を行う。また、ベースバンド演算部１６６は、送受信部１６４（ＰＬＬシンセサイザ１６５４）のチャンネル切り替え制御と、受信信号（Ａ−Ｄ変換部１６４６から出力されたデジタル信号）からの受信電波の電界強度の検出と、を行う。
【００３９】
ＭＡＣ部１６７は、ベースバンド演算部１６６から出力された信号又はＣＰＵ１１から入力された信号に対し、フレームの送受信方法やフレームの形式、誤り検出方法等を規定するＭＡＣ制御を行う。また、ＭＡＣ部１６７は、ベースバンド演算部１６６から出力された信号を無線ＬＡＮ通信の通信プロトコルに応じて復調し、復調した信号をインタフェースとしてのバス１９Ａを介してＣＰＵ１１に出力する。また、ＭＡＣ部１６７は、復調した信号中のビーコン信号又はプローブレスポンスの解析を行う。
【００４０】
送信系統において、ＣＰＵ１１から出力された送信するデータは、ＭＡＣ部１６７を介し、ベースバンド演算部１６６によりベースバンド信号に変調され、Ｄ−Ａ変換部１６４７によりアナログ信号に変換され、ＰＬＬシンセサイザ１６５４の出力信号に応じてミキサ１６４８により周波数が大きく調整される。ミキサ１６４８から出力された信号は、アンプ１６４９により増幅され、ＰＬＬシンセサイザ１６５４の出力信号に応じてミキサ１６５０により周波数が微調整される。
【００４１】
ミキサ１６５０から出力された信号は、ＢＰＦ１６５１により所定帯域のみ透過され、アンプ１６５２により増幅され、アンテナスイッチ１６３を介してアンテナ１６１又は１６２に入力され、電波として送信される。このようにして、ベースバンド演算部１６６から出力された電気信号は、送受信部１６４により、設定チャンネルに応じて周波数のアップコンバートがなされる。
【００４２】
次に、図４〜図９を参照して、通信端末装置１０の動作を説明する。図４は、無線情報表示処理を示すフローチャートである。図５は、チャンネルが他の無線ＬＡＮ局で占有されている場合の周波数に対する受信電界強度を示す図である。図６は、他に無線局が存在する場合の周波数に対する受信電界強度を示す図である。図７は、使用中の電子レンジが存在する場合の周波数に対する受信電界強度を示す図である。図８（ａ）は、他に無線ＬＡＮ局が存在し空きチャンネルがある場合の表示画面１４１Ａを表示する通信端末装置１０を示す図である。図８（ｂ）は、他に無線ＬＡＮ局が存在し通信障害のおそれがある場合の表示画面１４１Ｂを表示する通信端末装置１０を示す図である。図８（ｃ）は、他に無線ＬＡＮ局が存在し全チャンネルが占有されている場合の表示画面１４１Ｃを表示する通信端末装置１０を示す図である。図９（ａ）は、他に無線局が存在する場合の表示画面１４１Ｄを表示する通信端末装置１０を示す図である。図９（ｂ）は、他に使用中の電子レンジが存在する場合の表示画面１４１Ｅを表示する通信端末装置１０を示す図である。
【００４３】
通信端末装置１０で実行される無線情報表示処理を説明する。無線情報表示処理は、例えば、新たにアクセスポイントを設置する場合等に、他の無線ＬＡＮ通信等の電波の電界強度等を検出して検出結果に応じて、通信障害の原因等の情報を解析して表示する処理である。
【００４４】
通信端末装置１０において、例えば、ユーザから操作部１２を介して無線情報表示処理の実行指示が入力されたことをトリガとして、ＣＰＵ１１は、ＲＯＭ１５から読み出されて適宜ＲＡＭ１３に展開された無線情報表示プログラム１５１との協働で、無線情報表示処理を実行する。
【００４５】
図４に示すように、先ず、ＣＰＵ１１は、無線ＬＡＮ通信部１６により、受信チャンネルの切り替えと、各チャンネルでの受信電界強度検出と、各チャンネルでのビーコン信号の検出とを行うチャンネルサーチを行い、そのサーチ結果を記憶部１７に記憶する（ステップＳ１１）。サーチ結果の記憶先は、ＲＡＭ１３としてもよい。
【００４６】
ステップＳ１１では、ベースバンド演算部１６６の制御により、全てのチャンネル１〜１３についてチャンネル切り替えが行われ、切り替えられた各チャンネルの受信電界強度が検出される。また、ＭＡＣ部１６７により、切り替えられた各チャンネルの受信信号が復調（逆拡散ランダムコードとの相関デコード）され、復調の成否に応じた復調した信号のビーコン信号の有無と、ビーコン信号の内容と、が検出される。ビーコン信号の内容は、当該ビーコン信号で指定されたチャンネルのチャンネル番号の情報を含む。サーチ結果として、電界強度と、ビーコン信号の有無と、ビーコン信号で指定されたチャンネル番号とが、チャンネル切り替え時のチャンネル番号に対応付けられて記憶される。また、ステップＳ１１では、ＣＰＵ１１が、無線ＬＡＮ通信部１６を介して、無線ＬＡＮ局にプローブリクエストを送信し、返信されたプローブレスポンスを受信し、当該プローブレスポンスで指定されるチャンネル番号を取得してもよい。
【００４７】
そして、ＣＰＵ１１は、記憶部１７に記憶されたサーチ結果の情報に応じて、全てのチャンネルのうちで、電界強度を受信できるチャンネルが存在するか否かが判別される（ステップＳ１２）。ステップＳ１２では、各チャンネルの受信電界強度が所定の閾値以上であるか否かが判別され、閾値以上である場合に、そのチャンネルで電界強度を受信できると判別され、閾値未満の場合に、そのチャンネルで電界強度を受信できないと判別される。
【００４８】
電界強度を受信できるチャンネルが存在しない場合（ステップＳ１２；ＮＯ）、ＣＰＵ１１は、他に無線ＬＡＮ局がなく、他に無線ＬＡＮ通信以外の電波もなく、無線ＬＡＮ通信が利用可能であると解析し、その旨のメッセージを含む表示情報を生成する（ステップＳ１３）。そして、ＣＰＵ１１は、ステップＳ１３，Ｓ１７，Ｓ１９，Ｓ２０，Ｓ２２又はＳ２３で生成された表示情報を表示部１４に表示し（ステップＳ１４）、無線情報表示処理が終了する。
【００４９】
ステップＳ１３を通る場合は、全てのチャンネルが、通信障害の発生のおそれがない空きチャンネルである通信状態となる。この場合、ステップＳ１４では、例えば、「（他に電波がなく）無線ＬＡＮ通信は、利用可能です。」のメッセージを含む表示画面が表示される。この表示画面は、全てのチャンネルが空きチャンネルである情報を含んでもよい。
【００５０】
電界強度を受信できるチャンネルが存在する場合（ステップＳ１２；ＹＥＳ）、ＣＰＵ１１は、記憶部１７に記憶されたサーチ結果の情報に応じて、各チャンネルのビーコン信号の有無（復調の成否）により受信信号から無線ＬＡＮ通信の通信プロトコルを検出したか否かを判別する（ステップＳ１５）。
【００５１】
通信プロトコルを検出した場合（ステップＳ１５；ＹＥＳ）、ＣＰＵ１１は、記憶部１７に記憶されたサーチ結果の情報に応じて、ビーコン信号で指定されたチャンネル番号を取得し、当該取得したチャンネル番号に対応する使用チャンネルの間隔が５チャンネル以上であるか否かを判別する（ステップＳ１６）。ステップＳ１６で５チャンネル以上としたのは、１つの使用チャンネルが３チャンネルの幅で帯域を占有するため、空きチャンネルを確保するには、少なくとも５チャンネル以上の幅の空きの帯域が必要であるからである。
【００５２】
使用チャンネルの間隔が５チャンネル以上である場合（ステップＳ１６；ＹＥＳ）、ＣＰＵ１１は、他に無線ＬＡＮ局が存在するが、空きチャンネルがあり、無線ＬＡＮ通信が利用可能であると解析し、その旨のメッセージを含む表示情報を生成する（ステップＳ１７）。
【００５３】
ステップＳ１７を通る場合、使用チャンネルから５チャンネル以上の間隔があるチャンネルが空きチャンネルである通信状態となる。例えば、図１０に示すように、電界強度が受信できビーコン信号で指定されているチャンネル２，１２が使用チャンネルであり、その間隔が５チャンネル以上ある。ステップＳ１４では、例えば、図８（ａ）に示す表示画面１４１Ａが表示される。
【００５４】
図１０の受信状態での空きチャンネルは、チャンネル７である。ステップＳ１７に対応する表示画面の表示情報が、使用チャンネル及び空きチャンネルの少なくとも一方のチャンネル番号を含むこととしてもよい。
【００５５】
使用チャンネルの間隔が５チャンネル未満である場合（ステップＳ１６；ＮＯ）、ＣＰＵ１１は、記憶部１７に記憶されたサーチ結果の情報に応じて、電界強度が受信できない（電界強度が所定の閾値未満である）チャンネルが連続で５チャンネル以上あるか否かを判別する（ステップＳ１８）。
【００５６】
電界強度が受信できないチャンネルが連続５チャンネル以上ある場合（ステップＳ１８；ＹＥＳ）、ＣＰＵ１１は、他に無線ＬＡＮ局が存在し、当該無線ＬＡＮ局が通信端末装置１０に近付いて電波の電界強度が高くなることによりチャンネル混雑による通信障害の発生のおそれがあるが無線ＬＡＮ通信が利用可能であると解析し、その旨のメッセージを含む表示情報を生成する（ステップＳ１９）。
【００５７】
ステップＳ１９を通る場合、連続５チャンネル以上の間隔をとれ且つ電界強度が受信できないチャンネルが使用可能なチャンネルとなる通信状態となる。例えば、電界強度が受信できビーコン信号で指定されているチャンネル１，１１が使用チャンネルであり、電界強度が受信できない連続５チャンネル以上のチャンネル２〜１０があり、ビーコン信号で指定されているチャンネル６がある場合である。この場合、チャンネル６を使用可能なチャンネルにとれる。
【００５８】
というのは、無線ＬＡＮ通信では、異なる無線ＬＡＮ局から同じ周波数の電波の受信がある場合に、電界強度の高い電波が優先されるためである。しかし、他の無線ＬＡＮ局が通信端末装置１０に近付いて電界強度が高くなると、当該他の無線ＬＡＮ局の電波により通信障害が発生するおそれがある。この場合に、ステップＳ１４では、例えば、図８（ｂ）に示す表示画面１４１Ｂが表示される。表示画面１４１Ｂの表示情報が、使用チャンネルと、使用可能なチャンネルと、電界強度が受信できなくビーコン信号で指定されたチャンネル（通信障害のおそれのあるチャンネル）と、のうちの少なくとも一つのチャンネル番号を含むこととしてもよい。
【００５９】
電界強度が受信できないチャンネルが連続５チャンネル以上ない場合（ステップＳ１８；ＮＯ）、ＣＰＵ１１は、他に無線ＬＡＮ局が存在し、当該無線ＬＡＮ局の電波により全てのチャンネルが占有されており無線ＬＡＮ通信が利用不可能であると解析し、その旨のメッセージを含む表示情報を生成する（ステップＳ２０）。
【００６０】
ステップＳ２０を通る場合、空きチャンネルがない通信状態となる。例えば、図５に示すように、電界強度が受信できビーコン信号で指定されているチャンネル１，６，１１が使用チャンネルであり、電界強度が受信できない連続５チャンネル以上のチャンネルがない場合である。この場合に、ステップＳ１４では、例えば、図８（ｃ）に示す表示画面１４１Ｃが表示される。表示画面１４１Ｃの表示情報が、使用チャンネルのチャンネル番号を含むこととしてもよい。
【００６１】
通信プロトコルを検出しない場合（ステップＳ１５；ＮＯ）、ＣＰＵ１１は、記憶部１７に記憶されたサーチ結果の情報に応じて、隣接するチャンネルで電界強度に所定の閾値以上の差があるか否かを判別する（ステップＳ２１）。隣接するチャンネルで電界強度に差がある場合（ステップＳ２１；ＹＥＳ）、ＣＰＵ１１は、他に無線ＬＡＮ局でない無線局（例えば、Bluetooth（登録商標）機器）が存在し、当該無線局の電波により無線ＬＡＮ通信に通信障害が発生するおそれがあると解析し、その旨のメッセージを含む表示情報を生成する（ステップＳ２２）。
【００６２】
ステップＳ２２を通る場合、他の無線局による電界強度が高いチャンネルでは、無線ＬＡＮ通信に通信障害が発生する通信状態となる。例えば、図６に示すように、チャンネル６で電界強度が受信でき、さらにチャンネル６と他のチャンネルとの電界強度の差がある場合である。チャンネル６で他の無線局による電波を受信している。この場合に、ステップＳ１４では、例えば、図９（ａ）に示す表示画面１４１Ｄが表示される。表示画面１４１Ｄの表示情報が、電界強度の高いチャンネルのチャンネル番号や、他の無線局となりうる無線通信の種類（例えば、Bluetooth（登録商標））の情報を含むこととしてもよい。
【００６３】
隣接するチャンネルで電界強度に差がない場合（ステップＳ２１；ＮＯ）、ＣＰＵ１１は、他に使用中の電子レンジが存在し、当該電子レンジの電波により無線ＬＡＮ通信に通信障害が発生しており無線ＬＡＮ通信が利用不可能であると解析し、その旨のメッセージを含む表示情報を生成する（ステップＳ２３）。使用中の電子レンジは、全てのチャンネルで同一の電界強度を有する帯域幅の広い電波を発生する。
【００６４】
ステップＳ２３を通る場合、全てのチャンネルが電子レンジにより同一強度の電界強度を有する通信状態となる。例えば、図７に示すように、チャンネル１〜１３で同一の高い電界強度となる場合である。この場合に、ステップＳ１４では、例えば、図９（ｂ）に示す表示画面１４１Ｅが表示される。
【００６５】
以上、本実施の形態によれば、通信端末装置１０のＣＰＵ１１は、ベースバンド演算部１６６により、送受信部１６４のチャンネルを切り替え、受信信号の電界強度を検出し、ＭＡＣ部１６７により受信信号を無線ＬＡＮ通信の通信プロトコルで復調を行い、当該通信プロトコルの復調の成否に応じて、受信信号から通信プロトコルを検出する。そして、ＣＰＵ１１は、切り替えられた各チャンネルに対応する検出された電界強度と通信プロトコルの検出結果とに応じて、無線ＬＡＮ通信以外の電波による通信障害の原因を解析し、解析結果の情報を表示部１４に表示する。
【００６６】
このため、無線ＬＡＮ通信以外の電波による通信障害の原因を表示によりユーザに通知できる。ユーザは、無線ＬＡＮ通信以外の電波による通信障害の回避を適切に行うことができる。
【００６７】
また、ＣＰＵ１１は、検出された電界強度が所定の閾値以上で電界強度が受信できるチャンネルが存在し、通信プロトコルが検出されない場合に、全てのチャンネルの電界強度に差があるか否かを判別し、当該電界強度の差がある場合に、ステップＳ２２で、通信障害の原因を無線ＬＡＮ通信以外の無線局とする。このため、通信障害の原因が無線ＬＡＮ通信以外の無線局である場合に、その旨を表示によりユーザに通知できる。ユーザは、例えば、電波発生源としての無線局の動作を止める、又はチャンネルサーチを行った場所を離れる等、無線局による通信障害の回避を適切に行うことができる。あるいは、ユーザは、通信速度が落ちる可能性があることを理解して無線ＬＡＮ通信を行うことができる。
【００６８】
また、ＣＰＵ１１は、検出された電界強度が所定の閾値以上で電界強度が受信できるチャンネルが存在し、全てのチャンネルの電界強度に差があるか否かを判別し、当該電界強度の差がない場合に、ステップＳ２３で、通信障害の原因を帯域幅が広い電波発生装置としての電子レンジとする。このため、通信障害の原因が電子レンジである場合に、その旨を表示によりユーザに通知できる。ユーザは、例えば、電波発生源としての電子レンジの動作を止める、又はチャンネルサーチを行った場所を離れる等、電子レンジによる通信障害の回避を適切に行うことができる。
【００６９】
また、ＣＰＵ１１は、切り替えられた各チャンネルに対応する検出された電界強度と通信プロトコルの検出結果とに応じて、他の無線ＬＡＮ局の電波がある場合の無線ＬＡＮ通信の利用可能性を解析し、解析結果の情報を表示部１４に表示する。このため、他の無線ＬＡＮ局の電波がある場合の無線ＬＡＮ通信の利用可能性を表示によりユーザに通知できる。ユーザは、他の無線ＬＡＮ局の電波による通信障害の可能性に応じて、通信障害の回避を適切に行うことができる。
【００７０】
また、ＣＰＵ１１は、検出された電界強度が所定の閾値以上で電界強度が受信できるチャンネルが存在し、通信プロトコルが検出された場合に、ＭＡＣ部１６７で復調された信号に含まれるビーコン信号で指定されたチャンネルの間隔が５以上であるか否かを判別し、５以上である場合に、ステップＳ１７で、他の無線ＬＡＮ局の電波がある場合の無線ＬＡＮ通信の利用可能性を、空きチャンネルがあり無線ＬＡＮ通信が利用可能であることとする。このため、この無線ＬＡＮ通信の利用可能性を、空きチャンネルがあり無線ＬＡＮ通信が利用可能であることとして表示によりユーザに通知できる。ユーザは、他の無線ＬＡＮ局の電波がある場合の無線ＬＡＮ通信の利用可能性に応じて、空きチャンネルを適切に探すことができる。
【００７１】
また、ＣＰＵ１１は、ＭＡＣ部１６７で復調された信号に含まれるビーコン信号で指定されたチャンネルの間隔が５以上である場合に、電界強度が所定の閾値未満で電界強度を受信できないチャンネルが連続して５以上あるか否かを判別し、５以上ある場合に、ステップＳ１９で、他の無線ＬＡＮ局の電波がある場合の無線ＬＡＮ通信の利用可能性を、チャンネルの混雑により通信障害のおそれがあるが無線ＬＡＮ通信が利用可能であることとする。このため、この無線ＬＡＮ通信の利用可能性を、チャンネルの混雑により通信障害のおそれがあるが無線ＬＡＮ通信が利用可能であることとして表示によりユーザに通知できる。ユーザは、例えば、他の無線ＬＡＮ局を離れる等、他の無線ＬＡＮ局の電波による通信障害の回避を適切に行うことができる。あるいは、ユーザは、通信速度が落ちる可能性があることを理解して無線ＬＡＮ通信を行うことができる。
【００７２】
また、ＣＰＵ１１は、電界強度が所定の閾値未満で電界強度を受信できないチャンネルが連続して５以上ない場合に、ステップＳ２０で、他の無線ＬＡＮ局の電波がある場合の無線ＬＡＮ通信の利用可能性を、全てのチャンネルが占有されており無線ＬＡＮ通信が不可能であることとする。このため、この無線ＬＡＮ通信の利用可能性を、全てのチャンネルが占有されており無線ＬＡＮ通信が不可能であることとして表示によりユーザに通知できる。ユーザは、例えば、他の無線ＬＡＮ局を離れる等、他の無線ＬＡＮ局の電波による通信障害の回避を適切に行うことができる。また、通信端末装置１０が、ＩＥＥＥ８０２．１１ａ等の別の無線ＬＡＮ通信方式に対応している場合には、通信端末装置１０の無線通信方式を別の無線ＬＡＮ通信方式に切り替えることにより、他の無線ＬＡＮ局の電波による通信障害の回避を適切に行うことができる。
【００７３】
以上の説明では、本発明に係るプログラムのコンピュータ読み取り可能な媒体としてＲＯＭ１５を使用した例を開示したが、この例に限定されない。
その他のコンピュータ読み取り可能な媒体として、フラッシュメモリ等の不揮発性メモリ（記憶部１７）、ＣＤ−ＲＯＭ等の可搬型記録媒体を適用することが可能である。
また、本発明に係るプログラムのデータを通信回線を介して提供する媒体として、キャリアウエーブ（搬送波）も本発明に適用される。
【００７４】
なお、上記実施の形態における記述は、本発明に係る通信端末装置及びプログラムの一例であり、これに限定されるものではない。
【００７５】
上記実施の形態では、通信端末装置１０が２．４ＧＨｚ帯のＩＥＥＥ８０２．１１ｇの無線ＬＡＮ通信を行う構成としたが、これに限定されるものではない。通信端末装置１０がＩＥＥＥ８０２．１１ｂ等の２．４ＧＨｚ帯の他の無線ＬＡＮ通信や、他の周波数帯の無線通信を行う構成としてもよい。
【００７６】
また、上記実施の形態では、無線ＬＡＮ通信以外の電波による通信障害の原因として、無線局としてのBluetooth（登録商標）機器や、帯域幅が広い電波発生装置としての電子レンジを通知する構成としたが、これに限定されるものではない。例えば、２．４ＧＨｚ帯の帯域幅が広い電波を発生する電波発生装置は、医療機器等としてもよい。また、２．４ＧＨｚ帯以外の無線ＬＡＮ通信以外の電波による通信障害の原因として、レーダ波等としてもよい。
【００７７】
また、上記実施の形態では、通信障害の原因及び可能性の解析結果を表示部１４に表示することでユーザに通知する構成としたが、これに限定されるものではない。例えば、通信端末装置１０が、音声出力部や、ＬＥＤ（Light Emitting Diode）等の点灯部を備え、音声出力部による音声出力や、点灯部の点灯により解析結果をユーザに通知する構成としてもよい。
【００７８】
また、上記実施の形態における通信端末装置１０の各構成要素の細部構成及び細部動作に関しては、本発明の趣旨を逸脱することのない範囲で適宜変更可能であることは勿論である。
【００７９】
本発明の実施の形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
複数の異なる周波数のチャンネルを有する無線ＬＡＮ通信を行う通信端末装置であって、
電波を受信して受信信号を出力する通信手段と、
前記通信手段のチャンネルを切り替える切り替え手段と、
前記受信信号の電界強度を検出する電界強度検出手段と、
前記受信信号を前記無線ＬＡＮ通信の通信プロトコルで復調を行い、当該通信プロトコルの復調の成否に応じて、前記受信信号から通信プロトコルを検出する通信プロトコル検出手段と、
前記切り替え手段により前記通信手段のチャンネルを切り替え、当該切り替えられた各チャンネルに対応する前記検出された電界強度と前記通信プロトコルの検出結果とに応じて、前記無線ＬＡＮ通信以外の電波による通信障害の原因を解析する解析手段と、
前記解析手段の解析結果の情報を通知する通知手段と、
を備える通信端末装置。
＜請求項２＞
前記解析手段は、前記検出された電界強度が第１の閾値以上のチャンネルが存在し、前記通信プロトコルが検出されない場合に、前記全てのチャンネルの電界強度に差があるか否かを判別し、当該電界強度の差がある場合に、前記通信障害の原因を前記無線ＬＡＮ通信以外の無線局とする請求項１に記載の通信端末装置。
＜請求項３＞
前記解析手段は、前記検出された電界強度が第１の閾値以上のチャンネルが存在し、前記通信プロトコルが検出されない場合に、前記全てのチャンネルの電界強度に差があるか否かを判別し、当該電界強度の差がない場合に、前記通信障害の原因を電波発生装置とする請求項１又は２に記載の通信端末装置。
＜請求項４＞
前記解析手段は、前記切り替え手段により前記通信手段のチャンネルを切り替え、当該切り替えられた各チャンネルに対応する前記検出された電界強度と前記通信プロトコルの検出結果とに応じて、他の無線ＬＡＮ局の電波がある場合の無線ＬＡＮ通信の利用可能性を解析する請求項１から３のいずれか一項に記載の通信端末装置。
＜請求項５＞
前記解析手段は、前記検出された電界強度が第１の閾値以上のチャンネルが存在し、前記通信プロトコルが検出された場合に、前記復調された信号で指定されたチャンネルの間隔が第２の閾値以上であるか否かを判別し、当該指定されたチャンネルの間隔が第２の閾値以上である場合に、前記無線ＬＡＮ通信の利用可能性を、通信障害のおそれがない空きチャンネルがあり無線ＬＡＮ通信が利用可能であることとする請求項４に記載の通信端末装置。
＜請求項６＞
前記解析手段は、前記指定されたチャンネルの間隔が第２の閾値以上でない場合に、前記第１の閾値未満の電界強度のチャンネルが連続して第２の閾値以上あるか否かを判別し、当該チャンネルが連続して第２の閾値以上ある場合に、前記無線ＬＡＮ通信の利用可能性を、チャンネルの混雑により通信障害のおそれがあるが無線ＬＡＮ通信が利用可能であることとする請求項５に記載の通信端末装置。
＜請求項７＞
前記解析手段は、前記第１の閾値未満の電界強度のチャンネルが連続して第２の閾値以上ない場合に、前記無線ＬＡＮ通信の利用可能性を、全てのチャンネルが占有されており無線ＬＡＮ通信が不可能であることとする請求項６に記載の通信端末装置。
＜請求項８＞
複数の異なる周波数のチャンネルを有する無線ＬＡＮ通信を行う通信端末装置のコンピュータを、
電波を受信して受信信号を出力する通信手段、
前記通信手段のチャンネルを切り替える切り替え手段、
前記受信信号の電界強度を検出する電界強度検出手段、
前記受信信号を前記無線ＬＡＮ通信の通信プロトコルで復調を行い、当該通信プロトコルの復調の成否に応じて、前記受信信号から通信プロトコルを検出する通信プロトコル検出手段、
前記切り替え手段により前記通信手段のチャンネルを切り替え、当該切り替えられた各チャンネルに対応する前記検出された電界強度と前記通信プロトコルの検出結果とに応じて、前記無線ＬＡＮ通信以外の電波による通信障害の原因を解析する解析手段、
前記解析手段の解析結果の情報を通知する通知手段、
として機能させるためのプログラム。
【符号の説明】
【００８０】
１０  通信端末装置
２  筐体部
１１  ＣＰＵ
１２  操作部
１３  ＲＡＭ
１４  表示部
１５  ＲＯＭ
１６  無線ＬＡＮ通信部
１７  記憶部
１８  スキャナ部
１９  電源部
１９Ａ  バス
【図１】
2014123860.tif 000003
【図２】
2014123860.tif 000004
【図３】
2014123860.tif 000005
【図４】
2014123860.tif 000006
【図５】
2014123860.tif 000007
【図６】
2014123860.tif 000008
【図７】
2014123860.tif 000009
【図８】
2014123860.tif 000010
【図９】
2014123860.tif 000011
【図１０】
2014123860.tif 000012